(57)【要約】      （修正有）【課題】腰部椎間板ヘルニア、胸椎椎間板ヘルニア、脊椎すべり症及び胸椎後弯症を含む、腰椎の症状を予防するだけではなく、このような症状を治療し、かつ日常で使用することができる矯正枕を提供する。【解決手段】パッド部材２００と、パッド部材の内部に全体的に挿入される硬質ブロック部３００と、を有する。パッド部材は、弾力性が高い材料によって形成される。パッド部材の形状は、前後方向から見ると長方形または六角形であり、右側面または左側面から見ると左右対称または左右非対称のベル形である。パッド部材の長辺の長さは、大人の身体の横幅と大体同じ位である。硬質ブロック部は、弾力性が無い部材によって形成されている。硬質ブロック部とパッド部材との形状は互いに類似しており、寸法は比例している。硬質ブロック部の長辺の長さは、大人の人間の横幅とおおよそ同じ長さである。パッド部材及び硬質ブロック部は、平らな底面部を有する。【選択図】図１
0003197715.tif 000002
【実用新案登録請求の範囲】
【請求項１】
パッド部材と、パッド部材の内部に全体的に挿入される硬質ブロック部と、を有し；
前記パッド部材は、発泡部材、ゴム材またはコットンなど、弾力性が高い材料によって形成され；
前記パッド部材の形状は、前後方向から見ると長方形または六角形であり、右側面または左側面から見ると左右対称または左右非対称のベル形であり、安定性を保つために底面部が上面部よりも幅広く形成されており；
パッド部材の長辺の長さは、大人の身体の横幅と大体同じ位であり；
前記硬質ブロック部と前記パッド部材との形状は互いに類似しており、寸法は比例しており；
前記硬質ブロック部は、木材、発泡ポリエスチレン、または硬いゴム材など、弾力性が無い部材によって形成されており；
前記硬質ブロック部は、破裂または変形することなく、人体と同様の形状及びサイズの約１４０キログラムの質量の重力がかかっても耐えられ；
前記硬質ブロック部の長辺の長さは、大人の人間の横幅とおおよそ同じ長さであり；
前記パッド部材及び前記硬質ブロック部は、平らな底面部を有する、腰部疾患及び胸椎疾患の予防及び治療に使用される矯正枕。
【請求項２】
前記矯正枕は胸椎に使用され、前記硬質ブロック部及びパッド部材は左右対称のベル形であり、前記硬質ブロック部は左右対称のベル形状の方向から見た際における横方向の幅と２本の胸椎との寸法が同程度であり、前記枕部の高さは前記幅の約２倍である、請求項１に記載の腰部疾患及び胸椎疾患の予防及び治療に使用される矯正枕。
【請求項３】
前記矯正枕は腰部に使用され、前記硬質ブロック部及びパッド部材は左右非対称のベル形であり、矯正枕は腰部及び仙骨の曲線に沿って曲がるように形成され、前記幅と５本の背部椎との寸法が同程度となり、前記枕部の高さは前記幅の同程度である、請求項１に記載の腰部疾患及び胸椎疾患の予防及び治療に使用される矯正枕。
【考案の詳細な説明】
【技術分野】
【０００１】
本考案は枕に関する考案であり、特に、腰部疾患及び胸椎疾患の治療及び予防に使用される矯正枕に関する。
【背景技術】
【０００２】
脊椎は人間の胴体及び頭部に掛かる全ての負荷を支えており、脊椎疾患は、負荷による一定圧に加えて、曲げ、ストレッチ、回転動作によって発生する。
【０００３】
腰椎は、脊椎の構成要素のうち、最も柔軟性が高い要素である。胴体を後屈及び回転することにより、通常時における腰部の脊椎の形状が変形し、様々な健康障害が発生する。代表的な健康障害としては、椎間板ヘルニア及び脊椎すべり症が挙げられる。平背症候群及び腰椎後弯症も低い確率で起こりえる。約９０％の椎間板ヘルニアは脊柱の下部である腰椎Ｌ４〜Ｌ５または腰椎Ｌ５〜仙骨Ｓ１の間にて発生し、Ｌ５神経またはＳＩ神経に対する痛みを引き起こす。脊柱の下部におけるヘルニアは、神経に直接痛みを与えるため、腰髄神経根障害の発症に繋がる。脊椎すべり症を発症する場合にも同様の症状が見られる。
【０００４】
腰椎と同様、胸椎も変性の問題によって椎間板ヘルニア及び脊椎すべり症を発症する。尚、胸椎は後弯症に繋がることの方が多い。
【０００５】
腰部疾患及び胸椎疾患を治療する方法として、人工椎間板置換術、矯正器具、治療薬、カイロプラクティック等、幾つかの試みが行われてきた。椎間板ヘルニアを発症した場合には人工椎間板置換術が行われるが、すべての人に適用できない。例えば骨粗鬆症、関節痛及びステンレスチールへのアレルギー症状を有している場合、人工椎間板置換術は適用出来ない。さらに、人工椎間板置換術は椎間板切除術を必要とするため、感染症、出血過多、神経障害を引き起こす場合がある。脊椎すべり症を発症している場合、脊椎を支持するための矯正器具を使用することもできるが、矯正器具では椎骨を元の位置に戻すことが出来ない。アセタアミノフェン及びNSAIDs等の治療薬によって痛みを緩和することもできるが、治療薬による効果は一時的である。治療薬による脊椎疾患の効能が限定的であることに加え、治療薬は腎障害、胃腸出血及び潰瘍を引き起こす事がある。
【０００６】
カイロプラクティックは、上記３種類の治療方法のうち、最も安全な方法であるように見える。カイロプラクターは、患者を治療するにあたり、例えば機械の使用の触診等、脊椎の効果的な触診技術を使用する。しかしながら、治療中に患者の脊椎に過度な負荷を与え、脊椎の損傷を引き起こすリスクがある。一方、治療時において、カイロプラクターが安全を考慮して負荷を減らすと、一般的には治療期間が長くなる。さらに、患者に対する一日あたりの治療時間が１時間から２時間程度であることを考慮すると、治療期間は更に長くなる。疾患を安全に治療し、かつ治療時間を短縮するためには、カイロプラクターによる施術効果と同様の効果を与えることができ、患者による適用が容易であって、治療期間を短縮することが可能となる装置が必要となる。
【０００７】
これまで、腰部及び胸椎を支持することを目的とした様々な装置が発明されてきた。しかし、そのうちの殆どは脊椎の病気を予防する効果があるものの、根本的な治療には繋がらない。米国特許第５，８６３，０９５号明細書には、切り込みが形成された、腰を支持するための弾力性枕が開示されている。米国特許第５，５５１，７５２号明細書には、腰を支持するためのクッションが開示されている。米国特許第６，８２３，５４９号明細書には、脊椎の病気ではなく、床擦れを予防及び治療するためのクッションが開示されている。米国特許第４，５０２，１７０号明細書には、脊椎の病気の治療ではなく、姿勢及び背中の痛みを緩和する方法が開示されている。
【先行技術文献】
【特許文献】
【０００８】
【特許文献１】米国特許第５，８６３，０９５号明細書
【特許文献２】米国特許第５，５５１，７５２号明細書
【特許文献３】米国特許第６，８２３，５４９号明細書
【特許文献４】米国特許第４，５０２，１７０号明細書
【考案の概要】
【０００９】
本考案は、腰部椎間板ヘルニア、胸椎椎間板ヘルニア、脊椎すべり症及び胸椎後弯症を含む、腰椎の症状を予防するだけではなく、このような症状を治療し、かつ日常で使用することができる矯正枕を提供する。
【考案が解決しようとする課題】
【００１０】
本考案は、腰部疾患・胸椎疾患の予防及び治療に使用される矯正枕に関する。腰部疾患・胸椎疾患には、腰椎椎間板ヘルニア、胸椎椎間板ヘルニア、脊椎すべり症、胸椎後弯症が含まれる。
【００１１】
本考案における腰部疾患及び胸椎疾患を治療するための矯正枕は、パッド部材と、パッド部材の内部に全体的に挿入される硬質ブロック部と、を有する。パッド部材は、発泡部材、ゴム材またはコットンなど、弾力性が高い材料によって形成されている。パッド部材の形状は、前後方向から見ると長方形または六角形であるが、右側面または左側面から見た場合のパッド部材の形状は左右対称または左右非対称のベル形（釣鐘型）であり、安定性を保つために底面部が上面部よりも幅広くなる正規分布の形状に形成されている。パッド部材の長辺の長さは、大人の身体の横幅と大体同じ位である。
【００１２】
硬質ブロック部は、木材、発泡ポリエスチレン、または硬いゴム材など、弾力性が無い部材によって形成されている。硬質ブロック部は、破裂または変形することなく、人体と同様の形状及びサイズの約１４０キログラムの質量の重力がかかっても耐えられる。硬質ブロック部及びパッド部材の形状は互いに類似しており、寸法は比例しており、矯正枕が胸椎に使用される場合は左右対称であり、矯正枕が腰部に使用される場合は、腰椎及び仙骨の曲線に沿って曲がるように左右非対称となる。硬質ブロック部の長辺の長さは、大人の人間の横幅とおおよそ同じ長さである。パッド部材及び硬質ブロック部は、どちらも平らな底面部を有する。
【００１３】
椎間板ヘルニア、脊椎すべり症、胸椎後弯症を含む腰部疾患及び胸椎疾患を治療するために枕を使用するにあたり、使用者は背臥位となり、枕の長辺が脊椎と垂直になるように枕を配置する必要がある。枕は、椎間板ヘルニア、滑脱ヘルニア、後弯を起こしている部分の真下に配置する必要がある。硬質ブロック部は人間の重力によって垂直反力を発生し、椎間板ヘルニア又は滑脱ヘルニアを徐々に通常位置に戻し、または後弯した胸椎を通常の曲がった状態に戻す。ベル形状の硬質ブロック部が弾力性の無い材料によって形成されている理由は、反力が必要以上に吸収されないようにして大きさ（マグニチュード）を一定レベルに保つためだけでなく、反力を長時間垂直及び一定に保つためである。パッド部材は人間の重力を柔らかく吸収し、硬質ブロック部によって発生する反力を減少し、使用者が枕を使用する際に快適性を与えるために、弾力性がある材料によって形成されている。
【００１４】
パッド部材の上部が硬質ブロック部の上部よりも一定の比率において幅広に形成されることにより、枕を左右対称のベル形状の方向から見た場合における硬質ブロック部の横方向の幅と２本の胸椎との寸法が同程度となり、または腰椎について、枕を左右非対称のベル形状の方向から見た際における横方向の幅と５本の背部椎との寸法が同程度となる。そして、パッド部材は反力を分散し、枕の圧によって人体の特定部分に掛かる負荷を、疾患の適切な治療のレベルに、かつ脊椎を損傷しないレベルにまで減らす。さらに硬質の左右対称のベル形状のブロックについて、枕部の高さは、横方向から見た場合におけるその幅の約２倍になるように計算されている。左右非対称のベル形状のブロックについて、枕部の高さは、左右非対称のベル形状の横方向の幅と同等となるように計算されている。そして、重力及び反力の大きさは、脊椎に損傷を与える程の高いレベルではなく、または枕部による効果を減少する程の低いレベルではなく、疾患を治療するために適切なレベルとなる。
【図面の簡単な説明】
【００１５】
以下の詳細な説明を参考にすることにより、本発明の内容は更に理解される。詳細な説明は以下の図面を参照する。
【図１】本考案における、腰部疾患及び胸椎疾患の予防及び治療に使用される矯正枕の右側斜視図である。
【図２】図１に図示されている矯正枕の左側斜視図である。
【図３】図１で図示された枕であって、図２に図示されたＡ−Ａ’面の断面図である。
【図４】図１で図示された枕であって、図２に図示されたＢ−Ｂ’面の断面図である。
【図５】本考案による、腰部疾患及び胸椎疾患の予防及び治療に使用される矯正枕の他の実施例の斜視図である。
【図６】図１の枕を使用する方法である。
【考案を実施するための形態】
【００１６】
本考案は、腰椎間板ヘルニア、胸椎椎間板ヘルニア、脊椎すべり症、胸椎後弯症を含む、腰部疾患及び胸椎疾患の予防及び治療に使用される矯正枕に関する。
【００１７】
図１〜４に図示される通り、枕部１００は、パッド部材２００と、前記パッド部材２００に全体的に挿入される硬質ブロック部３００とを有する。パッド部材２００は、発泡部材、ゴム材またはコットンなど、弾力性が高い材料によって形成されている。パッド部材２００の形状は、長辺方向から見た場合は長方形または六角形であるが、右側面または左側面２０２から見た場合のパッド部材２００の形状は左右対称のベル形であり、安定性を保つために底面部２０２Ｂの横幅は上面部２０２Ｔの横幅よりも長く形成されている。他の実施例である図５に示される通り、パッド部材２００は左右非対称であってもよい。パッド部材２００の長辺の長さは、大人の身体の横幅と大体同じ位である。
【００１８】
硬質ブロック部３００は、木材、発泡ポリエスチレン、または硬いゴム材など、弾力性が無い材料によって形成されている。硬質ブロック部３００は、破裂または変形することなく、人体と同様の形状及びサイズの約１４０キログラムの質量の重力がかかっても耐えられる。硬質ブロック部３００及びパッド部材２００の形状は互いに類似しており、寸法は比例している。硬質ブロック部３００及びパッド部材２００の形状は、使用される体部に応じて、左右対称または左右非対称であってよい。胸椎に使用される場合は左右対称のベル形状であり、腰部に使用される場合は、腰部及び仙骨の曲線に沿って曲がるように左右非対称のベル形状で形成される。硬質ブロック部３００の長辺の長さは、大人の人間の横幅とおおよそ同じ長さである。
【００１９】
図３に示される通り、パッド部材２００及び硬質ブロック部３００はいずれも平板状側面部２０３、３０３を有している。
【００２０】
図６は、枕部１００を使用する方法が図示されている。椎間板ヘルニア、脊椎すべり症、胸椎後弯症を含む腰部疾患及び胸椎疾患を治療するために枕部１００を使用するにあたり、使用者は背臥位となり、枕部１００の長辺が使用者の脊椎と垂直になるように枕部を配置する必要がある。
【００２１】
枕部１００は、椎間板ヘルニア又は滑脱ヘルニアを起こしている部分の真下に配置する。硬質ブロック部３００は人間の重力ＦＩによって垂直反力Ｆ２を発生し、椎間板ヘルニア又は滑脱ヘルニアを徐々に通常位置に戻し、または後弯した胸椎を通常の曲がった状態に戻す。
【００２２】
ベル形状の硬質ブロック部３００が弾力性の無い材料によって形成されている理由は、反力Ｆ２が必要以上に吸収されないようにしてマグニチュード（大きさ）を一定値に保つためだけでなく、反力Ｆ２を長時間垂直及び一定に保つためである。パッド部材２００は人間の重力ＦＩを柔らかく吸収し、硬質ブロック部３００によって発生する反力Ｆ２を減少し、使用者が枕部１００を使用する際に快適性をあたえるために、弾力性がある材料によって形成されている。
【００２３】
パッド部材２００の上部２０２Ｔが硬質ブロック部３００の上部３０２Ｔよりも一定の比率において幅広に形成されることにより、枕を左右対称のベル形状の方向から見た場合における硬質ブロック部３００の幅と２本の胸椎との寸法が同程度となり、または腰椎について、枕を左右非対称のベル形状の方向から見た際における幅と５本の背部椎との寸法が同程度となる。そして、パッド部材２００は反力を分散し、枕の圧によって人体の特定部分に掛かる負荷を治療に適切かつ脊椎を損傷しない程度にまで減らす。さらに図３に示される通り、左右対称のベル形状のブロックについて、枕部１００の高さＨは、左右対称のベル形状から見た際の横方向の幅の約２倍になるように計算されており、左右非対称のベル形状のブロックについて、枕部の高さは、左右非対称のベル形状の横方向の幅と同等となるように計算されており、重力Ｆ１及び反力Ｆ２の大きさは、脊椎に損傷を与える程の高い水準ではなく、または枕部１００による効果を減少する程の低い水準ではなく、疾患を治療するために適切な水準となる。
【符号の説明】
【００２４】
１００  …  枕部
２００  …  パッド部材    ３００  …  ブロック部
２０３、３０３  …  平板状側面部
【図１】
0003197715.tif 000003
【図２】
0003197715.tif 000004
【図３】
0003197715.tif 000005
【図４】
0003197715.tif 000006
【図５】
0003197715.tif 000007
【図６】
0003197715.tif 000008
【手続補正書】
【提出日】平成27年3月26日(2015.3.26)
【手続補正１】
【補正対象書類名】実用新案登録請求の範囲
【補正対象項目名】全文
【補正方法】変更
【補正の内容】
【実用新案登録請求の範囲】
【請求項１】
パッド部材と、パッド部材の内部に全体的に挿入される硬質ブロック部と、を有し；
前記パッド部材は、発泡部材、ゴム材またはコットンなど、弾力性が高い材料によって形成され；
前記パッド部材の形状は、前後方向から見ると長方形または六角形であり、右側面または左側面から見ると左右対称または左右非対称のベル形であり、安定性を保つために底面部が上面部よりも幅広く形成されており；
パッド部材の長辺の長さは、大人の身体の横幅と大体同じ位であり；
前記硬質ブロック部と前記パッド部材との形状は互いに類似しており、寸法は比例しており；
前記硬質ブロック部は、木材、発泡ポリエスチレン、または硬いゴム材など、弾力性が無い部材によって形成されており；
前記硬質ブロック部は、破裂または変形することなく、人体と同様の形状及びサイズの約１４０キログラムの質量の重力がかかっても耐えられ；
前記硬質ブロック部の長辺の長さは、大人の人間の横幅とおおよそ同じ長さであり；
前記パッド部材及び前記硬質ブロック部は、平らな底面部を有する、腰部疾患及び胸椎疾患の予防及び治療に使用される矯正枕。
【請求項２】
前記矯正枕は胸椎に使用され、前記硬質ブロック部及びパッド部材は左右対称のベル形であり、前記硬質ブロック部は左右対称のベル形状の方向から見た際における横方向の幅と２本の胸椎との寸法が同程度であり、前記パッド部材の高さは前記幅の約２倍である、請求項１に記載の腰部疾患及び胸椎疾患の予防及び治療に使用される矯正枕。
【請求項３】
前記矯正枕は腰部に使用され、前記硬質ブロック部及びパッド部材は左右非対称のベル形であり、矯正枕は腰部及び仙骨の曲線に沿って曲がるように形成され、前記硬質ブロック部は左右非対称のベル形状の方向から見た際における横方向の幅と５本の背部椎との寸法が同程度となり、前記パッド部材の高さは前記幅の同程度である、請求項１に記載の腰部疾患及び胸椎疾患の予防及び治療に使用される矯正枕。